(57)【特許請求の範囲】
【請求項１】
輝度信号が入力される入力手段と、
前記入力手段に入力された１フレーム分の輝度信号から、各輝度レベルのヒストグラムデータを取得する取得手段と、
前記取得手段で取得された各輝度レベルのヒストグラムデータの中から、画面内の所定の領域を占めるように表示される無画部分に対応するヒストグラムデータを除去する度数変換手段と、
前記度数変換手段で度数変換処理が施されたヒストグラムデータに基づいて、前記入力手段に入力された輝度信号に非線形補正処理を施すための非線形補正処理用テーブルを作成する作成手段と、
前記作成手段で作成された非線形補正処理用テーブルに基づいて、前記入力手段に入力された輝度信号に非線形補正処理を施す処理手段とを具備することを特徴とする映像信号処理装置。
【請求項２】
前記度数変換手段は、
前記入力手段に入力された１フレーム分の輝度信号に対して、予め画面中央部に設定された所定の領域から各輝度レベルのヒストグラムデータを取得する第１の手段と、
前記第１の手段で取得したヒストグラムデータを、前記取得手段で取得された各輝度レベルのヒストグラムデータから減算する第２の手段と、
前記第２の手段で得られたヒストグラムデータの中から、予め設定された値に基づいて前記無画部分に対応するヒストグラムデータを検出する第３の手段と、
前記第３の手段で検出されたヒストグラムデータを、前記取得手段で取得された各輝度レベルのヒストグラムデータから減算する第４の手段とを具備することを特徴とする請求項１記載の映像信号処理装置。
【請求項３】
前記第３の手段は、
前記第２の手段で得られたヒストグラムデータの中から、予め無画部分を判定するために設定された輝度レベルに対応するヒストグラムデータを検出する第５の手段と、
前記第５の手段で検出されたヒストグラムデータの中から、１フレーム分の輝度信号中で無画部分が占める画素数として予め設定された数より多いものを検出する第６の手段とを具備することを特徴とする請求項２記載の映像信号処理装置。
【請求項４】
前記第６の手段は、
前記取得手段で取得された各輝度レベルのヒストグラムデータの総データ数を算出する第７の手段と、
前記第７の手段で算出された等データ数に、１フレーム分の輝度信号中で無画部分が占める割合として予め設定されたパラメータを乗算する第８の手段とを具備し、
前記第８の手段の出力値を、１フレーム分の輝度信号中で無画部分が占める画素数としていることを特徴とする請求項３記載の映像信号処理装置。
【請求項５】
前記第３の手段は、前記第６の手段で検出されたヒストグラムデータの中から、最も多いものを無画部分に対応するヒストグラムデータとして検出することを特徴とする請求項３記載の映像信号処理装置。
【請求項６】
前記度数変換手段は、前記取得手段で取得された各輝度レベルのヒストグラムデータの中から、レターボックス方式及びサイドパネル方式の少なくとも一方の映像信号に含まれる無画部分に対応するヒストグラムデータを除去することを特徴とする請求項１記載の映像信号処理装置。
【請求項７】
放送信号を受信する受信手段と、
前記受信手段で受信された放送信号から輝度信号を復元する第１の復元手段と、
前記第１の復元手段で復元された１フレーム分の輝度信号から、各輝度レベルのヒストグラムデータを取得する取得手段と、
前記取得手段で取得された各輝度レベルのヒストグラムデータの中から、画面内の所定の領域を占めるように表示される無画部分に対応するヒストグラムデータを除去する度数変換手段と、
前記度数変換手段で度数変換処理が施されたヒストグラムデータに基づいて、前記第１の復元手段で復元された輝度信号に非線形補正処理を施すための非線形補正処理用テーブルを作成する作成手段と、
前記作成手段で作成された非線形補正処理用テーブルに基づいて、前記第１の復元手段で復元された輝度信号に非線形補正処理を施す処理手段と、
前記受信手段で受信された放送信号から色信号を復元する第２の復元手段と、
前記第２の復元手段で復元された色信号に対して、前記第１の復元手段で復元された輝度信号に基づいた振幅補正処理を施す補正手段と、
前記補正手段で振幅補正処理が施された色信号と、前記処理手段で非線形補正処理が施された輝度信号とに基づいて映像表示を行なう表示手段とを具備することを特徴とする放送受信装置。
【請求項８】
輝度信号を入力する入力工程と、
前記入力工程で入力された１フレーム分の輝度信号から、各輝度レベルのヒストグラムデータを取得する取得工程と、
前記取得工程で取得された各輝度レベルのヒストグラムデータの中から、画面内の所定の領域を占めるように表示される無画部分に対応するヒストグラムデータを除去する度数変換工程と、
前記度数変換工程で度数変換処理が施されたヒストグラムデータに基づいて、前記入力工程で入力された輝度信号に非線形補正処理を施すための非線形補正処理用テーブルを作成する作成工程と、
前記作成工程で作成された非線形補正処理用テーブルに基づいて、前記入力工程で入力された輝度信号に非線形補正処理を施す処理工程とを具備することを特徴とする映像信号処理方法。
【請求項９】
前記度数変換工程は、
前記入力工程で入力された１フレーム分の輝度信号に対して、予め画面中央部に設定された所定の領域から各輝度レベルのヒストグラムデータを取得する第１の工程と、
前記第１の工程で取得したヒストグラムデータを、前記取得工程で取得された各輝度レベルのヒストグラムデータから減算する第２の工程と、
前記第２の工程で得られたヒストグラムデータの中から、予め設定された値に基づいて前記無画部分に対応するヒストグラムデータを検出する第３の工程と、
前記第３の工程で検出されたヒストグラムデータを、前記取得工程で取得された各輝度レベルのヒストグラムデータから減算する第４の工程とを具備することを特徴とする請求項８記載の映像信号処理方法。
【発明の詳細な説明】
【技術分野】
【０００１】
この発明は、輝度のヒストグラムに基づいて輝度信号に階調補正処理を施す映像信号処理装置及び映像信号処理方法の改良に関する。
【背景技術】
【０００２】
周知のように、近年では、フラットパネル型の大画面ディスプレイが開発され、カラーテレビジョン放送受信装置等に実用化されている。ところで、この種の大画面ディスプレイでは、表示映像を鮮明に見せるために、映像信号の輝度成分に対して階調補正処理を施すことが行なわれている。
【０００３】
このような輝度成分に対する階調補正処理としては、入力映像信号の輝度のヒストグラム分布に合わせて行なう手法が知られている。この手法の基本的な考え方は、輝度ヒストグラムの頻度の大きい輝度レベルに対しては階調補正特性曲線の傾きを大きくし、輝度ヒストグラムの頻度の小さい輝度レベルに対しては階調補正特性曲線の傾きを小さくすることである。
【０００４】
これにより、入力映像信号の大部分を占める輝度レベル領域分のダイナミックレンジを拡大することで、映像のコントラスト感の向上を図ったり、細かい階調差を有効に表現したりできるように補正するというものである。
【０００５】
ところで、映像信号としてレターボックス方式やサイドパネル方式のように、無画部分が、画面内の所定の領域を占めるようにまとまって表示される信号を入力した場合、画面全体から輝度のヒストグラムを取得して階調補正特性曲線を生成する手法では、映像として価値のない無画部分のヒストグラムが全体の数割を占めるため、有効な映像部分に対する階調補正処理の効果が低減されてしまうことになる。
【０００６】
特許文献１には、読み込まれた画像データの輝度分布に応じて、自動的に原稿毎の補正量制限値を設定して、階調補正特性を作成して階調補正を行なうようにした構成が開示されているが、画面全体の数割を無画部分が占めるような映像信号に対処することについては、何らの記載もなされていないものである。
【特許文献１】特開２００５−８６７７２公報
【発明の開示】
【発明が解決しようとする課題】
【０００７】
そこで、この発明は上記事情を考慮してなされたもので、無画部分が画面内の所定の領域を占めるように表示される映像信号が入力された場合でも、有効な映像部分に対して最適な階調補正処理を施すことを可能として、実用に適した輝度制御を行ない得る映像信号処理装置及び映像信号処理方法を提供することを目的とする。
【課題を解決するための手段】
【０００８】
この発明に係る映像信号処理装置は、輝度信号が入力される入力手段と、入力手段に入力された１フレーム分の輝度信号から、各輝度レベルのヒストグラムデータを取得する取得手段と、取得手段で取得された各輝度レベルのヒストグラムデータの中から、画面内の所定の領域を占めるように表示される無画部分に対応するヒストグラムデータを除去する度数変換手段と、度数変換手段で度数変換処理が施されたヒストグラムデータに基づいて、入力手段に入力された輝度信号に非線形補正処理を施すための非線形補正処理用テーブルを作成する作成手段と、作成手段で作成された非線形補正処理用テーブルに基づいて、入力手段に入力された輝度信号に非線形補正処理を施す処理手段とを備えるようにしたものである。
【０００９】
また、この発明に係る映像信号処理方法は、輝度信号を入力する入力工程と、入力工程で入力された１フレーム分の輝度信号から、各輝度レベルのヒストグラムデータを取得する取得工程と、取得工程で取得された各輝度レベルのヒストグラムデータの中から、画面内の所定の領域を占めるように表示される無画部分に対応するヒストグラムデータを除去する度数変換工程と、度数変換工程で度数変換処理が施されたヒストグラムデータに基づいて、入力工程で入力された輝度信号に非線形補正処理を施すための非線形補正処理用テーブルを作成する作成工程と、作成工程で作成された非線形補正処理用テーブルに基づいて、入力工程で入力された輝度信号に非線形補正処理を施す処理工程とを備えるようにしたものである。
【発明の効果】
【００１０】
上記した発明によれば、入力輝度信号から画面内の所定の領域を占めるように表示される無画部分を抜いたヒストグラムデータを作成し、そのヒストグラムデータに基づいて輝度信号に階調補正処理を施すようにしたので、有効な映像部分に対して最適な階調補正処理を施すことを可能として、実用に適した輝度制御を行なうことができる。
【発明を実施するための最良の形態】
【００１１】
以下、この発明の実施の形態について図面を参照して詳細に説明する。図１は、この実施の形態で説明するテレビジョン放送受信装置１１の映像信号処理系を概略的に示している。
【００１２】
すなわち、デジタルテレビジョン放送受信用のアンテナ１２で受信したデジタルテレビジョン放送信号は、入力端子１３を介して選局復調部１４に供給される。この選局復調部１４は、入力されたデジタルテレビジョン放送信号から所望のチャンネルの放送信号を選局し、その選局された信号を復調してデコーダ１５に出力している。
【００１３】
そして、このデコーダ１５は、選局復調部１４から入力された信号にデコード処理を施すことにより、デジタルの輝度信号Ｙ及び色信号Ｃｂ／Ｃｒをそれぞれ生成して、セレクタ１６に出力している。
【００１４】
また、アナログテレビジョン放送受信用のアンテナ１７で受信したアナログテレビジョン放送信号は、入力端子１８を介して選局復調部１９に供給される。この選局復調部１９では、入力されたアナログテレビジョン放送信号から所望のチャンネルの放送信号を選局し、その選局された信号を復調してアナログの輝度信号Ｙ及び色信号Ｃｂ／Ｃｒをそれぞれ生成している。
【００１５】
そして、この選局復調部１９で生成されたアナログの輝度信号Ｙ及び色信号Ｃｂ／Ｃｒは、Ａ／Ｄ（analog／digital）変換部２０に供給されてデジタルの輝度信号Ｙ及び色信号Ｃｂ／Ｃｒに変換された後、上記セレクタ１６に出力される。
【００１６】
また、アナログ映像信号用の外部入力端子２１に供給されたアナログの輝度信号Ｙ及び色信号Ｃｂ／Ｃｒは、Ａ／Ｄ変換部２２に供給されてデジタルの輝度信号Ｙ及び色信号Ｃｂ／Ｃｒに変換された後、上記セレクタ１６に出力される。さらに、デジタル映像信号用の外部入力端子２３に供給されたデジタルの輝度信号Ｙ及び色信号Ｃｂ／Ｃｒは、そのまま上記セレクタ１６に供給される。
【００１７】
ここで、このセレクタ１６は、デコーダ１５、Ａ／Ｄ変換部２０，２２及び外部入力端子２３からそれぞれ供給されるデジタルの輝度信号Ｙ及び色信号Ｃｂ／Ｃｒから１つを選択して、映像信号処理部２４に供給している。
【００１８】
この映像信号処理部２４は、詳細は後述するが、入力されたデジタルの輝度信号Ｙ及び色信号Ｃｂ／Ｃｒに対して所定の信号処理を施すことにより、Ｒ（red），Ｇ（green），Ｂ（blue）信号を生成している。
【００１９】
そして、この映像信号処理部２４で生成されたＲ，Ｇ，Ｂ信号が、映像表示部２５に供給されて映像表示に供される。なお、この映像表示部２５としては、例えば表面電界ディスプレイ、液晶ディスプレイやプラズマディスプレイ等でなるフラットパネルディスプレイが採用される。
【００２０】
ここで、このテレビジョン放送受信装置１１は、上記した各種の受信動作を含む種々の動作を制御部２６によって統括的に制御されている。この制御部２６は、ＣＰＵ（central processing unit）等を内蔵したマイクロプロセッサであり、図示しないリモートコントローラを含む操作部２７からの操作情報を受けて、その操作内容が反映されるように各部をそれぞれ制御している。
【００２１】
この場合、制御部２６は、主として、そのＣＰＵが実行する制御プログラムを格納したＲＯＭ（read only memory）２８と、該ＣＰＵに作業エリアを提供するためのＲＡＭ（random access memory）２９と、各種の設定情報及び制御情報等が格納される不揮発性メモリ３０とを利用している。
【００２２】
図２は、上記映像信号処理部２４の一例を示している。すなわち、上記セレクタ１６で選択されたデジタルの輝度信号Ｙ及び色信号Ｃｂ／Ｃｒは、入力端子３１ａ，３１ｂを介してＩＰ（interlace progressive）変換・スケーリング処理部３２に供給される。
【００２３】
このＩＰ変換・スケーリング処理部３２は、入力された輝度信号Ｙ及び色信号Ｃｂ／Ｃｒに対して、映像表示部２５（表面電界ディスプレイ、液晶ディスプレイやプラズマディスプレイ等でなるフラットパネルディスプレイ）で表示を行なうためにプログレッシブ変換処理及びスケーリング処理を施して、エンハンサ処理部３３に出力している。
【００２４】
このエンハンサ処理部３３は、入力された輝度信号Ｙ及び色信号Ｃｂ／Ｃｒに対して、垂直及び水平方向の立ち上がりを急峻にしたり、または、シャープネスを変えたりするエンハンサ処理を施して、信号補正部３４に出力している。
【００２５】
この信号補正部３４は、入力された輝度信号Ｙに対して階調補正のための非線形補正処理を施すとともに、その非線形補正処理に伴なって色信号Ｃｂ／Ｃｒに振幅制御処理を施し、色空間変換部３５に出力している。
【００２６】
この色空間変換部３５は、入力された輝度信号Ｙ及び色信号Ｃｂ／ＣｒをＲ，Ｇ，Ｂ信号に変換し、ＲＧＢガンマ補正部３６に出力している。このＲＧＢガンマ補正部３６は、入力されたＲ，Ｇ，Ｂ信号に対して、ホワイトバランス調整を施すとともに、上記映像表示部２５に対するガンマ補正処理を施し、ディザ処理部３７に出力している。
【００２７】
そして、このディザ処理部３７が、入力されたＲ，Ｇ，Ｂ信号に対して、表現力を増すためにビット数の拡張された高階調のビット表現を、映像表示部２５に対応した低階調のビット数に変換する圧縮処理を施した後、出力端子３８，３９，４０を介して映像表示部２５に出力している。
【００２８】
図３は、上記信号補正部３４の一例を示している。すなわち、上記エンハンサ処理部３３から出力された輝度信号Ｙは、入力端子４１を介して輝度非線形補正処理部４２に供給されて階調補正のための非線形補正処理が施された後、出力端子４３を介して上記色空間変換部３５に出力される。
【００２９】
ここで、輝度非線形補正処理部４２は、詳細は後述するが、上記制御部２６から制御端子４４を介して供給される制御データに基づいて、輝度非線形補正処理用のＬＵＴ（look up table）を作成し、そのＬＵＴに基づいて輝度信号Ｙに非線形補正処理を施している。
【００３０】
また、上記エンハンサ処理部３３から出力された色信号Ｃｂ／Ｃｒは、入力端子４５を介して乗算器４６に供給され、色信号補正部４７から出力される色補正信号が乗算されることにより振幅制御処理が施された後、出力端子４８を介して上記色空間変換部３５に出力される。
【００３１】
この色信号補正部４７は、制御部２６から制御端子４９を介して供給される色補正処理用のＬＵＴから、入力端子４１に供給された輝度信号Ｙのレベルに基づいて、色信号Ｃｂ／Ｃｒに対する振幅制御を行なうための色ゲインとなる色補正信号を検索し、乗算器４６に出力している。
【００３２】
図４は、上記輝度非線形補正処理部４２の詳細を示している。すなわち、上記入力端子４１に供給された輝度信号Ｙは、入力端子４２ａを介した後、非線形補正処理部４２ｂに供給されるとともに、ヒストグラムデータ取得部４２ｃに供給される。このうち、ヒストグラムデータ取得部４２ｃは、入力された１フレーム分の輝度信号に対して、各輝度レベルのヒストグラムデータを取得する。
【００３３】
そして、このヒストグラムデータ取得部４２ｃで取得されたヒストグラムデータは、度数変換処理部４２ｄに供給される。この度数変換処理部４２ｄは、詳細は後述するが、入力されたヒストグラムデータに対し、上記制御部２６から制御端子４４，４２ｅを介して供給される制御データに基づいて度数変換処理を施し、ＬＵＴ作成部４２ｆに出力している。
【００３４】
このＬＵＴ作成部４２ｆは、度数変換処理部４２ｄから出力された度数変換処理後のヒストグラムデータに基づいて輝度非線形補正処理用のＬＵＴを作成し、上記非線形補正処理部４２ｂに出力している。そして、この非線形補正処理部４２ｂが、入力された輝度信号に対してＬＵＴに基づいた非線形補正処理を施し、出力端子４２ｇ，４３を介して上記色空間変換部３５に出力している。
【００３５】
図５は、上記輝度非線形補正処理部４２が輝度信号Ｙに施す非線形補正処理動作の一列をまとめたフローチャートを示している。すなわち、処理が開始（ステップＳ１）されると、ヒストグラムデータ取得部４２ｃは、ステップＳ２で、各輝度レベルのヒストグラムデータＨＩＳ１を取得する。
【００３６】
このヒストグラムデータＨＩＳ１の取得は、輝度レベルのダイナミットレンジをｎ分割し、入力映像信号の１フレーム内の有効画像に対して、各輝度レベル１〜ｎに対応している画素数をカウントすることにより行なわれる。この場合、輝度レベル１〜ｎの分解能は十分に細かく設定されるものとする。例えば、入力映像信号が８ビットである場合は、ヒストグラムデータＨＩＳ１を取得する際の輝度レベルの分解能も８ビットとする。
【００３７】
図６は、水平方向１３６６画素×垂直方向７６８画素の映像信号（ＷＸＧＡ）を例として、輝度のヒストグラムデータＨＩＳ１を取得するための有効画像の一例を示している。この有効画像としては、１フレーム分の画面の左右端から４画素ずつと上下端から２画素ずつとを除く範囲が推奨される。
【００３８】
この有効画像の範囲を示す情報は、予め上記した不揮発性メモリ３０に格納されているものとする。そして、必要に応じて、不揮発性メモリ３０から上記制御部２６によって読み出され、制御データとして制御端子４４，４２ｅを介して度数変換処理部４２ｄに供給される。
【００３９】
図７は、上記した映像信号（ＷＸＧＡ）における、１フレーム分の有効画像から取得した輝度のヒストグラムデータＨＩＳ１の一例を示している。この場合、輝度レベルの分解能は、８ビット（０〜２５５）としている。すなわち、０〜２５５までの２５６個の各輝度レベルに対して、それぞれ対応している画素の数が取得されている。このため、各輝度レベルにおけるヒストグラムデータ（画素数）ＨＩＳ１を全て加算すると、その合計は、入力映像信号が持つ１フレーム内の有効画像の画素数と同じになる。
【００４０】
その後、度数変換処理部４２ｄは、取得したヒストグラムデータＨＩＳ１に対して、制御部２６から供給される制御データに基づいて度数変換処理を実行する。まず、度数変換処理部４２ｄは、ステップＳ３で、映像信号（ＷＸＧＡ）の１フレーム内の有効画像から取得した輝度のヒストグラムデータＨＩＳ１の総データ数Ｄを算出する。
【００４１】
そして、度数変換処理部４２ｄは、ステップＳ４で、レターボックス方式またはサイドパネル方式の映像信号の１フレームにおいて、無画部分が占める範囲（面積）の割合を示すパラメータＳ（％）を、総データ数Ｄに乗算することにより、有効画像の中の無画部分が占める画素数Ｖｔｈを算出する。
【００４２】
なお、このパラメータＳ（％）は、０〜１００％の値を取り得るもので、予め設定された値が、上記した不揮発性メモリ３０に格納されている。そして、必要に応じて、不揮発性メモリ３０から上記制御部２６によって読み出され、制御データとして制御端子４４，４２ｅを介して度数変換処理部４２ｄに供給される。
【００４３】
その後、度数変換処理部４２ｄは、ステップＳ５で、映像信号（ＷＸＧＡ）の１フレームのうち、その有効画像の周縁部分について輝度のヒストグラムデータＨＩＳ２を取得する。すなわち、このヒストグラムデータＨＩＳ２は、レターボックス方式またはサイドパネル方式の映像信号の１フレーム内における無画部分に対応する領域の画素数である。
【００４４】
このヒストグラムデータＨＩＳ２の取得範囲としては、図８に示すように、上記した映像信号（ＷＸＧＡ）の１フレームにおいて、画面の左右端から１２．５％（１７０画素）ずつが占める領域と、上下端から２５％（１９２画素）ずつが占める領域とで囲まれた枠状の部分が推奨される。
【００４５】
この枠状部分の範囲を示す情報は、予め上記不揮発性メモリ３０に格納されている。そして、必要に応じて、不揮発性メモリ３０から上記制御部２６によって読み出され、制御データとして制御端子４４，４２ｅを介して度数変換処理部４２ｄに供給される。
【００４６】
そして、このヒストグラムデータＨＩＳ２は、ヒストグラムデータＨＩＳ２の取得範囲である枠状の範囲で囲まれた画面中央部、つまり、有効な映像部分に対応する領域のヒストグラムデータを取得し、そのヒストグラムデータを上記したヒストグラムデータＨＩＳ１から減算することにより得ることができる。図９は、このようにして取得されたヒストグラムデータＨＩＳ２の一例を示している。
【００４７】
次に、度数変換処理部４２ｄは、ステップＳ６で、レターボックス方式またはサイドパネル方式の映像信号の無画部分を判定するための輝度レベルの範囲を設定する。この範囲は、図９に示すように、予め設定された輝度レベルの値ｍ〜ｎが、上記した不揮発性メモリ３０に格納されている。そして、必要に応じて、不揮発性メモリ３０から上記制御部２６によって読み出され、制御データとして制御端子４４，４２ｅを介して度数変換処理部４２ｄに供給される。
【００４８】
その後、度数変換処理部４２ｄは、ステップＳ７で、図１０に示すように、ステップＳ６で設定された範囲の各輝度レベルのうち、ヒストグラムデータＨＩＳ２がステップＳ４で算出された画素数Ｖｔｈ以上の画素数を有するものを検出する。
【００４９】
そして、度数変換処理部４２ｄは、ステップＳ８で、ステップＳ７で検出された輝度レベルのうち、レターボックス方式またはサイドパネル方式の映像信号の無画部分に対応する輝度レベルを選択する。例えば、ステップＳ７で検出された輝度レベルのうち、ヒストグラムデータＨＩＳ２の最も多いものを、現在の入力映像信号の有する無画部分の輝度レベルであると判定する。
【００５０】
次に、度数変換処理部４２ｄは、ステップＳ９で、ステップＳ８による判定結果に補正処理を実行する。すなわち、グラフィックス信号のようにノイズの無いフラットな映像信号では問題ないが、アナログの映像信号をＡ／Ｄ変換部でサンプリングしたような信号の場合は、ノイズにより本来の信号レベルの周囲にデータが拡散するため、これを加味した補正を行なう必要がある。
【００５１】
このため、ステップＳ８で判定された輝度レベルに対して係数を与え、そのヒストグラムＨＩＳ２に乗算する。これにより、図１１に示すように、ステップＳ８で判定された輝度レベルを中心として拡散しているデータを、無画部分のデータとして作り出している。
【００５２】
その後、度数変換処理部４２ｄは、ステップＳ１０で、ステップＳ９で得られた結果を、ヒストグラムデータＨＩＳ１から減算する。このステップＳ１０の結果が、図１２に示すように、入力映像信号からレターボックス方式またはサイドパネル方式における無画部分を抜いた補正後の輝度ヒストグラムデータとなる。
【００５３】
すると、上記ＬＵＴ作成部４２ｆは、ステップＳ１１で、補正後のヒストグラムデータを下位の輝度レベルから累積加算することにより輝度入出力変換パラメータ、つまり、輝度非線形補正処理用のＬＵＴを作成する。そして、線形補正処理部４２ｂが、ステップＳ１２で、ＬＵＴに基づいて輝度信号Ｙに非線形補正処理を施し、処理を終了（ステップＳ１３）する。図１３は、輝度非線形補正処理用のＬＵＴによって輝度信号Ｙに与えられる非線形特性の一例を示している。
【００５４】
上記した実施の形態によれば、入力映像信号からレターボックス方式またはサイドパネル方式における無画部分を抜いたヒストグラムデータを作成し、そのヒストグラムデータに基づいて輝度信号に階調補正処理を施すようにしたので、有効な映像部分に対して最適な階調補正処理を施すことが可能となり、実用に適した輝度制御を行なうことができるようになる。
【００５５】
また、レターボックス方式またはサイドパネル方式の映像信号の無画部分に対応する枠状の領域から取得したヒストグラムデータＨＩＳ２から、予め設定された輝度レベルの値ｍ〜ｎ内に含まれるものを無画部分のヒストグラムデータとして、ヒストグラムデータＨＩＳ１から減算するのではなく、そのヒストグラムデータの中から、有効画像の中の無画部分が占める画素数Ｖｔｈ以上の画素数を有するものを選択し、さらに、その中で最も画素数の多いものを無画部分のヒストグラムデータとして、ヒストグラムデータＨＩＳ１から減算するようにしている。このため、最終的に得られる補正後のヒストグラムデータの精度が飛躍的に向上し、このような点でも、有効な映像部分に対して最適な階調補正処理を施すことが可能となり、実用に適した輝度制御を行なうことができるようになる。
【００５６】
さらに、上記のように、予め設定された輝度レベルの値ｍ〜ｎ内に含まれるヒストグラムデータの中から、有効画像の中の無画部分が占める画素数Ｖｔｈ以上の画素数を有するものを選択し、さらに、その中で最も画素数の多いものを無画部分のヒストグラムデータとして、ヒストグラムデータＨＩＳ１から減算するようにしているので、無画部分を判別するための輝度レベルｍ〜ｎ近傍にデータが集中している場合でも、極端に階調補正特性が切り替わることを防止することができる。
【００５７】
また、上記した実施の形態において、図６に示した有効画像の領域、図８に示した枠状の領域、パラメータＳ（％）、無画部分を判別するための輝度レベルの値ｍ〜ｎ等は、不揮発性メモリ３０の内容を変えるだけで容易に変更可能となるため、製造作業が容易化されるという効果も生じる。
【００５８】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００５９】
【図１】この発明の実施の形態を示すもので、テレビジョン放送受信装置の映像信号処理系を説明するために示すブロック構成図。
【図２】同実施の形態におけるテレビジョン放送受信装置の映像信号処理部の詳細を説明するために示すブロック構成図。
【図３】同実施の形態における映像信号処理部の信号補正部の詳細を説明するために示すブロック構成図。
【図４】同実施の形態における信号補正部の輝度非線形補正処理部の詳細を説明するために示すブロック構成図。
【図５】同実施の形態における輝度非線形補正処理部の処理動作を説明するために示すフローチャート。
【図６】同実施の形態における輝度非線形補正処理部が１フレーム分のヒストグラムデータを取得する範囲を説明するために示す図。
【図７】同実施の形態における輝度非線形補正処理部が取得する１フレーム分のヒストグラムデータを説明するために示す図。
【図８】同実施の形態における輝度非線形補正処理部が無画部分に対応するヒストグラムデータを取得する範囲を説明するために示す図。
【図９】同実施の形態における輝度非線形補正処理部が無画部分に対応する輝度レベルの設定範囲を説明するために示す図。
【図１０】同実施の形態における輝度非線形補正処理部が無画部分に対応するヒストグラムデータから所定値以上のものを検出した結果を説明するために示す図。
【図１１】同実施の形態における輝度非線形補正処理部が無画部分に対応するヒストグラムデータから所定値以上のものを検出し、それにデータ加工を施した結果を説明するために示す図。
【図１２】同実施の形態における度数変換処理後のヒストグラムデータを説明するために示す図。
【図１３】同実施の形態における度数変換処理後のヒストグラムデータから作成される輝度非線形補正処理用のＬＵＴを説明するために示す図。
【符号の説明】
【００６０】
１１…テレビジョン放送受信装置、１２…アンテナ、１３…入力端子、１４…選局復調部、１５…デコーダ、１６…セレクタ、１７…アンテナ、１８…入力端子、１９…選局復調部、２０…Ａ／Ｄ変換部、２１…外部入力端子、２２…Ａ／Ｄ変換部、２３…外部入力端子、２４…映像信号処理部、２５…映像表示部、２６…制御部、２７…操作部、２８…ＲＯＭ、２９…ＲＡＭ、３０…不揮発性メモリ、３１ａ，３１ｂ…入力端子、３２…ＩＰ変換・スケーリング処理部、３３…エンハンサ処理部、３４…信号補正部、３５…色空間変換部、３６…ＲＧＢガンマ補正部、３７…ディザ処理部、３８〜４０…出力端子、４１…入力端子、４２…輝度非線形補正処理部、４３…出力端子、４４…制御端子、４５…入力端子、４６…乗算器、４７…色信号補正部、４８…出力端子、４９…制御端子。
【図１】
0004504294.tif 000002
【図２】
0004504294.tif 000003
【図３】
0004504294.tif 000004
【図４】
0004504294.tif 000005
【図５】
0004504294.tif 000006
【図６】
0004504294.tif 000007
【図７】
0004504294.tif 000008
【図８】
0004504294.tif 000009
【図９】
0004504294.tif 000010
【図１０】
0004504294.tif 000011
【図１１】
0004504294.tif 000012
【図１２】
0004504294.tif 000013
【図１３】
0004504294.tif 000014